【事件の表示】
　特願２００１−　２９７１０「携帯電話装置及びその制御方法」拒絶査定不服審判事件〔平成１４年　８月１６日出願公開、特開２００２−２３２９５９〕について、次のとおり審決する。
【結　論】
　本件審判の請求は、成り立たない。
【理　由】
１．手続の経緯 
　本願は、平成１３年２月６日の出願であって、平成２３年１月２５日付けで拒絶査定がなされ、これに対し、平成２３年４月２５日に審判請求がなさるとともに、同日付けで手続補正がなされたものである。 
　
２．本願発明 
　本願の請求項３に係る発明（以下、「本願発明」という。）は、平成２３年４月２５日付け手続補正書の請求項３に記載された以下のとおりのものと認められる。
　
　「通信機能と付加機能とを有する携帯電話装置において、
　前記通信機能を停止させるための通信機能停止モードを含む動作モードの設定に関する操作を受け付ける入力手段と、
　前記通信機能および前記付加機能の動作を制御する制御手段と、
を備え、
　前記制御手段は、前記入力手段に対して前記通信機能停止モードを設定する操作が行われると前記通信機能を停止させ、一定時間が経過した時点で前記通信機能を有効とする動作モードに自動的に復帰させることを特徴とする携帯電話装置。」 
　
３．引用例発明 
　原審の拒絶理由に引用された特開２０００−４０９７０号公報（以下、「引用例」という。）には、図面とともに以下の記載がある。 
　
　イ．「【０００１】
【発明の属する技術分野】本発明は、携帯電話機等の無線通信を利用する携帯通信機及びプログラムを記憶した記憶媒体に関する。」
　
　ロ.「【０００２】
【従来の技術】従来の携帯電話機は、通話のための信号の送信、受信の機能の他に、ゲームや電話帳等の情報処理機能を備えている。また、携帯通信機の使用を控えるべき場所での着信音をなくすために、着信拒否装置、録音装置、バイブレータ等が設けられている。
【０００３】また、従来の携帯電話機は、ユーザが通話していない待ち受け状態においても、位置登録や着信等の際に基地局に対して送信を行うことがある。この基地局に対する送信は、携帯通信機に電源が入っていれば、随時行われるものである。
【０００４】また、従来の携帯電話機は、電源が入っていれば、送信、受信、情報処理の各機能は全部有効であり、一つの機能のみを分離して単独に動作、停止を制御することはできなかった。
【０００５】
【発明が解決しようとする課題】しかしながら、上述したように、従来の携帯電話機は、電源を入れておけば通話をしていなくても基地局に対して送信が行われるので、例えば、近くのペースメーカ等の医療用の電子機器や、航空機等の電子機器を誤動作させてしまう恐れがあるという問題があり、その場合、送信機能のみを停止させればよいが、一つの機能のみを分離して単独に制御することはできないという問題があった。
【０００６】また、情報処理機能を用いているときも、その間に基地局への送信が行われるので、上述される問題が発生する。従って、送信を停止しながら情報処理機能のみを用いることはできなかった。
【０００７】本発明は、上記の実情に鑑みて成されたもので、送信停止を単独で行える携帯通信機及びプログラムを記憶した記憶媒体を提供することを目的とする。」
　
　ハ.「【０００８】
【課題を解決するための手段】前記課題を解決するために、請求項１記載の発明は、信号を送信する送信部と、送信以外の機能を持つ機能部とを備える携帯通信機において、送信部による送信を停止させる制御手段を有することを特徴とする。
【０００９】請求項２記載の発明は、請求項１記載の発明において、制御手段により送信を停止する際の送信停止時間を設定する設定手段を有することを特徴とする。
【００１０】請求項３記載の発明は、請求項２記載の発明において、設定手段により設定された送信停止時間の経過を表示する表示手段を有することを特徴とする。
【００１１】請求項４記載の発明は、請求項２記載の発明において、送信停止時間の経過後、送信停止を継続するか否かの判断を要求する第１の要求手段を有することを特徴とする。
【００１２】（略）
【００１３】（略）
【００１４】請求項７記載の発明は、請求項１記載の発明において、機能部は、信号を受信する受信部及び／または信号の送受信以外の情報処理を行う情報処理部を有することを特徴とする。」
　
　ニ.「【００２６】
【発明の実施の形態】以下、本発明の実施の形態を添付図面に基づいて詳細に説明する。図１は、本発明の実施形態である携帯通信機の第１の実施形態を示す。まず、特徴的な構成及び動作について説明する。本実施形態は、無線を利用する携帯通信機の送信の制御を行えるようにしたものであり、送信の停止を可能にすると共に、送信停止中における情報処理機能の利用を可能にしたものである。
【００２７】図１において、本発明の第１の実施形態である携帯通信機は、制御回路部１と、表示部２と、スピーカ３と、バイブレータ４と、メモリ５と、データ入力部６と、受信部７と、送信部８と、タイマ９と、アンテナ１０と、電源回路部１１と、スイッチ１２と、電源供給回路部１３とにより構成される。
【００２８】制御回路部１は、情報処理機能、無線通信機能等の全体の処理を制御する。表示部２は、送信停止時間、現在時刻、通話時間、文字情報、画像情報等を表示する。バイブレータ４は、着信音、警告等を行う。メモリ５は、送信停止時間等を記憶する。データ入力部６（例えば、キーボード、ペン入力、タッチパネル等の入力装置）は、送信停止コマンド等のデータ入力を行う。受信部７は、制御信号、音声信号を受信する。送信部８は、制御回路部１の制御により送信を行う。タイマ９は、送信部８の送信停止時間をカウントダウンにより計時する。電源供給回路部１３は、電源回路部１１からの電源を各部に分配する。スイッチ１２は、電源供給回路部１３と送信部８との間に設けられ、送信部８への電源を供給、遮断する。
【００２９】図１において、ユーザは、データ入力部６から少なくとも送信停止コマンドまたは送信停止時間を入力する。送信停止コマンドのみを入力した場合は、制御回路部１は、タイマ９を送信停止時間無制限で起動し、送信停止コマンドの解除が行われるまでスイッチ１２をオフし、電源供給回路部１３からの電源供給を中断する。ユーザが送信停止コマンドに続いて送信停止時間を入力した場合、または送信停止時間のみ入力した場合は、タイマ９を起動させる。タイマ９が送信停止時間をカウントダウンしている時、スイッチ１２をオフして送信部８への電源供給を中断する。従って、携帯通信機の送信が停止される。
【００３０】これによって、ペースメーカ等の電子機器や航空機等の電子機器の誤動作の原因となる送信を、ユーザの希望により停止することができる。この場合、基地局への送信も行われなくなるので、携帯通信機は基地局からの制御信号等に対して応答せず、上記制御信号等の受信のみを行う。
【００３１】また、送信部８以外の機能部には電源は供給されるので、携帯通信機の情報処理機能（例えば、電話帳、スケジューラ、エディタ、ブラウザ、画像取り込み、ゲーム等の各機能）は、損なわれることがない。
【００３２】送信部８の送信停止中は、表示部２で送信停止中であること及び送信停止時間の残り時間が表示される。
【００３３】タイマ９がタイムアウトすると、制御回路部１は、表示部２により文字、画像等の視覚的な表示によりタイムアウトを知らせると共に、スピーカ３の音による表示、またはバイブレータ４の振動による表示でタイムアウトを知らせる。タイムアウトを知らせた後、ユーザが引き続いて送信停止を要求しなければ、通常の送信動作に復帰する。
【００３４】次に、本発明の実施形態における動作例について説明する。データ入力部６から送信停止コマンドが入力されると、制御回路部１は、さらに送信停止時間の入力をユーザに要求する。ユーザに対するデータの入力要求は表示部２により行われる。またメモリ５は、上記入力された送信停止コマンド、送信停止時間等のデータを制御回路部１から受け取って格納する。
【００３５】制御回路部１は、送信停止時間が入力された時は、タイマ９を起動し、送信停止コマンドのみが入力された時は、送信停止時間を無制限としてタイマ９を起動する。これにより、タイマ９はメモリ５から送信停止時間を取得し、その送信停止時間のカウントダウンを開始すると共に、電源断信号を出力してスイッチ１２をオフにして、送信部８への電源を遮断する。
【００３６】制御回路部１は、タイマ９から送信停止時間の残り時間のデータを受け取り、これを表示部２で表示する。このとき表示部２は、送信停止状態にあることも表示している。
【００３７】制御回路部１は、タイマ９がタイムアップすると、これを表示部２で表示すると共に、スピーカ３またはバイブレータ４により、音声または振動により表示する。タイマ９がタイムアップした時、制御回路部１は、ユーザに対して引き続き送信停止を行うか否かを判断することを表示部２等により要求する。送信停止を行わない場合は、電源断信号を解除してスイッチ１２をオンにし、送信部８に電源を供給する。
【００３８】尚、送信停止コマンドのみ入力されていた場合には、送信停止時間を無制限としてメモリ５に格納してタイマ９を起動しているので、上述の要求はなく、送信停止コマンドの解除を待ってから送信停止は解除される。」
　
　ホ.「【００４０】図２において、携帯通信機が通常の位置登録、通信等を行っているとき（ステップＳ１００）、ユーザが送信停止コマンド、送信停止時間等を入力すると（ステップＳ１０１）、データ入力有りと判断し（ステップＳ１０２）、その入力データの種類を解析する（ステップＳ１０３）。ステップＳ１０２において、データ入力がない場合は、処理を終了する（ステップＳ１０７）。
【００４１】入力データ解析結果判断処理により（ステップＳ１０４）、入力データが送信停止コマンドである場合はコマンドと判断され、の分岐処理が行われる。送信停止時間の場合はの分岐処理が行われる。では入力されたコマンドが何のコマンドであるかを解析する（ステップＳ１０５）。では送信停止時間をメモリ５に格納し（ステップＳ１０９）、送信停止プログラムを実行する（ステップＳ２００）。またの分岐処理は、電話番号が入力された場合であり、通話制御を行う通話制御プログラムが実行される（ステップＳ１０８）。
【００４２】また、ステップＳ１０５におけるコマンド解析の結果、送信停止コマンドと判断されれば（ステップＳ１０６）、コマンド解析結果判断処理から送信停止プログラムが起動される（ステップＳ２００）。また、その他のコマンドの場合は、その他のコマンドの処理プログラムが実行される（ステップＳ１１０）。」
　
　ヘ.「【００６０】
【発明の効果】以上の説明より明らかなように、本発明の携帯通信機及びプログラムを記憶した記憶媒体によれば、携帯通信機の送信機能を一時的に停止させることができるので、送信停止中に他の、例えば受信機能や情報処理機能等を単独で用いることができる。従って、携帯通信機の使用を控えるべき場所、例えば、病院や航空機の中においても、送信を停止させた状態で他の機能を支障なく用いることができる。」
　
　上記摘記事項ハの段落０００８、００１４、及び上記摘記事項ニの段落００２７等には、「信号を送信する送信部８と送信以外の機能を持つ情報処理部とを備える携帯通信機」が記載されている。
　上記摘記事項ニの段落００２９、ホ.段落００４０、００４２等には、「送信停止コマンドと送信停止時間、及び送信停止コマンド以外のその他のコマンドを入力するデータ入力部６」が記載されている。
  上記摘記事項ニの段落００２８等には、「情報処理機能、無線通信機能等の携帯通信機全体の処理を制御する制御回路部１」が記載されている。
　上記摘記事項ニの段落００２９〜００３８等には、「前記制御回路部１は、前記データ入力部６により送信停止コマンドと送信停止時間が入力されると、送信部８への電源供給を中断して送信を停止させるとともに前記送信停止時間でセットされたタイマ９を起動し、その後、タイマ９がタイムアップすると、表示部２等によりタイムアップしたことを知らせ、ユーザに対して引き続き送信停止を行うか否かを判断することを要求し、送信停止を行わない場合には、送信部８への電源中断を解除して通常の送信動作に復帰させる」ことが記載されている。
　
　したがって、引用例には、 
 　「信号を送信する送信部８と送信以外の機能を持つ情報処理部とを備える携帯通信機において、
　送信停止コマンドと送信停止時間、及び送信停止コマンド以外のその他のコマンドを入力するデータ入力部６と、
　情報処理機能、無線通信機能等の携帯通信機全体の処理を制御する制御回路部１と、
を備え、
　前記制御回路部１は、前記データ入力部６により送信停止コマンドと送信停止時間が入力されると、送信部８への電源供給を中断して送信を停止させるとともに前記送信停止時間でセットされたタイマ９を起動し、その後、タイマ９がタイムアップすると、表示部２等によりタイムアップしたことを知らせ、ユーザに対して引き続き送信停止を行うか否かを判断することを要求し、送信停止を行わない場合には、送信部８への電源中断を解除して通常の送信動作に復帰させるようにした携帯通信機。」 
の発明（以下、「引用例発明」という。）が開示されていると認められる。
　
４．対比 
　本願発明と引用例発明とを対比する前に、本願発明における「通信機能を停止」の技術的意味について検討する。
　本願の発明の詳細な説明には、前記「通信機能を停止」の意味について明確な定義がなされていないが、段落００２６等の記載によれば、「通信機能」とは「電波を外部に発信する動作」機能であり、「通信機能を停止」するとは、「電波を外部に発信する動作を禁止すること」と解することができる。
　上記解釈の下で本願発明と引用例発明とを対比すると、
　まず、引用例発明は、「信号を送信する送信部８と送信以外の機能を持つ情報処理部とを備える携帯通信機」であり、前記「信号を送信する送信部８」、「送信以外の機能を持つ情報処理部」の機能は、それぞれ「通信機能」、「付加機能」といえるから、「通信機能と付加機能とを有する携帯電話装置」である点で本願発明と一致する。
　引用例発明は、「送信停止コマンドと送信停止時間、及び送信停止コマンド以外のその他のコマンドを入力するデータ入力部６」を備え、「データ入力部６」への「送信停止コマンドと送信停止時間、及び送信停止コマンド以外のその他のコマンド」の「入力」は、「通信機能を停止させるための通信機能停止モードを含む動作モードの設定に関する操作」といえるから、「通信機能を停止させるための通信機能停止モードを含む動作モードの設定に関する操作を受け付ける入力手段」を備える点で本願発明と一致する。
　引用例発明は、「情報処理機能、無線通信機能等の携帯通信機全体の処理を制御する制御回路部１」を備えているから、「前記通信機能および前記付加機能の動作を制御する制御手段」を備える点で本願発明と一致する。
　引用例発明は、「制御回路部１は、前記データ入力部６により送信停止コマンドと送信停止時間が入力されると、送信部８への電源供給を中断して送信を停止させるとともに前記送信停止時間でセットされたタイマ９を起動し、その後、タイマ９がタイムアップすると、表示部２等によりタイムアップしたことを知らせ、ユーザに対して引き続き送信停止を行うか否かを判断することを要求し、送信停止を行わない場合には、送信部８への電源中断を解除して通常の送信動作に復帰させる」から、一定時間が経過した時点で通信機能を有効とする動作モードへの復帰が「自動的」に行われる点は別として「前記制御手段は、前記入力手段に対して前記通信機能停止モードを設定する操作が行われると前記通信機能を停止させ、一定時間が経過した時点で前記通信機能を有効とする動作モードに復帰させる」点で本願発明と一致する。
　
　したがって、本願発明と引用例発明とは、 
「通信機能と付加機能とを有する携帯電話装置において、
　前記通信機能を停止させるための通信機能停止モードを含む動作モードの設定に関する操作を受け付ける入力手段と、
　前記通信機能および前記付加機能の動作を制御する制御手段と、
を備え、
　前記制御手段は、前記入力手段に対して前記通信機能停止モードを設定する操作が行われると前記通信機能を停止させ、一定時間が経過した時点で前記通信機能を有効とする動作モードに復帰させる携帯電話装置。」 
 である点で一致し、以下の点で相違している。 
　
［相違点］ 
　本願発明は、一定時間が経過した時点での通信機能を有効とする動作モードへの復帰が「自動的」に行われるのに対して、引用例発明は、一定時間が経過した時点で「ユーザに対して引き続き送信停止を行うか否かを判断することを要求し、送信停止を行わない場合に」復帰させる、即ちユーザの入力により復帰させるようにしている点。
　
５．当審の判断 
　相違点について検討する。 
　本願発明において、通信機能を有効とする動作モードへの復帰を「自動的」に行うことの目的は、「一旦停止させた電話機能の動作を復帰させるための操作を忘れるのを防止する」（段落０００４）ことにあるが、電話機としての通常の動作モードから、機能の一部を制限した動作モードへ移行した後、一定時間後に自動的に通常の動作モードに復帰することにより、復帰操作の忘れを防止する技術は、例えば、特開平９−２８４８４６号公報（段落０００８、０００９等参照）、特開２０００−３２５６３号公報（段落０００６〜００１１等参照）、特開平９−６９８６５号公報（段落０００４〜０００７等参照）、特開２０００−２０９３１０号公報（段落０００６、０００９、００１０等参照）に示されているように周知事項であるから、当該周知事項を考慮すれば、引用発明において、一定時間が経過した時点で「ユーザに対して引き続き送信停止を行うか否かを判断することを要求し」たにもかかわらず、ユーザが復帰操作を忘れたような場合に、自動的に送信部８への電源中断を解除して通常の送信動作に復帰させること、即ち、相違点に係る構成を採用することは、当業者にとって容易なことである。 
　
　そして、本願発明の作用効果も、引用例発明及び周知事項から当業者が予測できる範囲のものである。 
 　　　 
６．むすび 
　以上のとおり、本願発明は、引用例発明及び周知事項に基づいて、当業者が容易に発明をすることができたものであるから、特許法第２９条第２項の規定により特許を受けることができない。 
　よって、結論のとおり審決する。